(57)【特許請求の範囲】
【請求項１】
下動タイプで押下げ操作用の上面を持つ噴射ボタンがステムから取り外されてこれら双方を連続噴射対応のロック用治具で結合させた後、当該ロック用治具を当該ステムに取り付け、かつ、噴射ボタン保護用で天井面を持つキャップを容器本体側に取り付けることにより、当該噴射ボタン，当該ロック用治具および当該ステムの一体物が当該上面に対する当該天井面の押圧作用で作動モード位置へと下動して保持される形のエアゾール連続噴射機構において、
前記ロック用治具は、
前記ステムの上端側部分に係合保持される凹状部と、
当該凹状部とは上下方向反対の部分に形成されて、前記噴射ボタンの本来のステム結合凹状部を係合保持する凸状部と、
を備えたプラスチック製のものであり、
前記ステムおよび前記噴射ボタンは、
前記ロック用治具によって上下方向に離間結合し、
前記凹状部は、
その内面部分に、それぞれ前記ステムの出力側からステム周りのキャップ内部空間域へと連通する連続噴射用の複数の通路部を持つ、
ことを特徴とするエアゾール連続噴射機構。
【請求項２】
前記ロック用治具は、
前記キャップと一体化され、
連続作動モードの設定に際しては当該キャップから取り外され、この取外し後の開口域が前記キャップ内部空間域からそのキャップ外部空間域への連通部として作用する、
ことを特徴とする請求項１記載のエアゾール連続噴射機構。
【請求項３】
前記ロック用治具は、
前記キャップと一体成形されたものである、
ことを特徴とする請求項２記載のエアゾール連続噴射機構。
【請求項４】
前記ロック用治具は、
前記キャップの天井部に設けられている、
ことを特徴とする請求項１乃至３のいずれかに記載のエアゾール連続噴射機構。
【請求項５】
請求項１乃至４のいずれかに記載のエアゾール噴射操作機構を備え、かつ、噴射用ガスおよび内容物を容器本体に収容した、
ことを特徴とするエアゾール式製品。
【発明の詳細な説明】
【技術分野】
【０００１】
本発明は、エアゾール式製品のキャップを容器本体側から外し、かつ、押下げタイプの噴射ボタンをステムから取り外した上で、両者間を連続噴射対応のロック用治具により結合してキャップを再び容器本体側に取り付ける形のエアゾール連続噴射機構である。
【０００２】
この連続噴射は、例えば内容物を略消尽した後のエアゾール式製品の廃棄に際し、容器本体の噴射用ガスを容器本体から十分に取り出して、廃棄作業の安全化を図るためにおこなわれる。
【０００３】
なお、以下の記載では必要に応じて、押下げタイプの噴射ボタンを単に「噴射ボタン」といい、連続噴射対応のロック用治具を単に「ロック用治具」といい、また噴射用ガスを単に「ガス」という。
【０００４】
本明細書における「キャップ」は、内容物噴射操作を行わないときには容器本体に取り付けられて噴射ボタンなどを保護し、かつ、内容物噴射操作の際にはそれに先立って容器本体から取り外される形の着脱自在なカバー体を示す用語である。
【０００５】
「作動モード」は、噴射ボタンの操作にともなうガス噴射作用により内容物が外部空間域に噴射される状態を示し、「静止モード」は、噴射ボタンの未操作により内容物が外部空間域へ噴射されない状態を示す用語である。
【０００６】
また、「連続作動モード」は、押下げタイプの噴射ボタンが作動モードと同様の下動位置に強制的に保持されて、容器本体のガス，内容物などが外部空間域に連続噴射される状態を示す用語である。
【０００７】
本発明では、ステムと噴射ボタンとの間にロック用治具を挟み、当該噴射ボタンがいわばかさ上げされた状態でその操作面をキャップ天井面で押し下げて保持することにより、噴射ボタンを、ガス抜きなどの連続作動モード位置に強制的に継続設定している。
【０００８】
なお、ロック用治具は、そのステム結合側部分に、容器本体からステムへ流入する連続噴射対象物をステム周方向の略全体にわたるキャップ内部空間域に流出させるための通路部を備えている。
【０００９】
ロック用治具からキャップ内部空間域に流出した連続噴射対象物はキャップ開口部から外部空間域へと流れていく。このキャップ開口部は、例えばキャップの一部に当該キャップと一体成形されたロック用治具を取り外した後の開口域である。
【００１０】
なお、エアゾール式製品の連続作動モードにおいて、容器内容物をまだ使い切っていないときは内容物連続噴射状態となり、容器内容物を略使い切っているときはガス抜き状態となる。本明細書では、単なる説明の便宜上、必要に応じてガス抜き状態を前提として記載する。
【００１１】
このガス抜き状態と内容物連続噴射状態とはもっぱら用途上の違いにすぎず、エアゾール式製品の動作機構としては、これら各状態はともにアクチュエータ（噴射ボタン，ステムなど）がその作動位置に継続的に保持されているものである。すなわち当該各状態のそれぞれにおけるバルブ機構などの動作メカニズムに違いはない。
【背景技術】
【００１２】
従来、ステムに取り付けたままの押下げタイプの噴射ボタンの操作面とキャップ天井面との間に連続作動モード対応のロック用治具を装着し、かつ、この装着状態のキャップを容器本体側へ取り付けて固定するガス抜き機構が提案されている（特許文献１参照）。
【００１３】
このロック用治具の装着状態でキャップを容器本体側へ取り付けることにより、押下げタイプの噴射ボタンがその作動モード位置まで移動して保持される。すなわち静止モードから連続作動モードのガス抜き状態に移行する。
【００１４】
このガス抜き機構の場合、ステムに取り付けたままの押下げタイプの噴射ボタンを、キャップ天井面からロック用治具に対する押圧作用により作動モード位置の方へ強制駆動している。
【００１５】
ここでガス抜き操作時の容器本体の残留ガスなどは、通常の作動モードと同じように噴射ボタンの出力孔部からキャップ内部空間域へ噴射される。
【００１６】
また、キャップ内部空間域からキャップ外部空間域へのガス出力用孔部が、キャップ側面にロック用治具とは関連性のない独立した形で設けられている。不使用時のロック用治具自体はキャップ内部に設けられている。
【００１７】
【特許文献１】特開平１０−８６８９４号公報
【発明の開示】
【発明が解決しようとする課題】
【００１８】
このように従来のガス抜き機構は、ステムに取り付けられたままの噴射ボタンの操作面とキャップ天井面との間に連続作動モード対応のロック用治具を装着している。すなわち噴射ボタンとは別体のままのロック用治具がキャップ天井面との間に配設される。
【００１９】
また、ガス抜き状態において、容器本体の残留ガスは噴射ボタン自体の本来の出力孔部のみからキャップ内部空間域へと放出される。
【００２０】
また、エアゾール式製品のガス抜きの必要性が生じていない通常の使用状態では、ロック用治具がキャップ内部に取り付けられている。
【００２１】
そのため、ステムおよび噴射ボタンの一体物とロック用治具との間の一物性が担保されず、ガス抜きに際し、キャップ天井面から当該ロック用治具を介して当該一体物へと伝わる押圧力が効率的に作用しにくいという問題点があった。
【００２２】
また、噴射ボタンから流出する残留ガスが先ずキャップの内部空間域でいわば偏在してしまい、当該内部空間域から最終的な流出先であるキャップ外部空間域へ容器本体の残留ガスが効率的に放出されないという問題点があった。
【００２３】
また、キャップの内部空間域から外部空間域への残留ガスの放出用開口部をキャップの一部に別途形成しており、キャップ製造工程の煩雑化やキャップ外観のデザイン性低下につながりやすいという問題点があった。
【００２４】
また、容器本体側にキャップが取り付けられた状態のエアゾール式製品に対して、利用者などが、ロック用治具を用いたガス抜き作業が終了済みかどうかの視認がむずかしいという問題点があった。
【００２５】
そこで、本発明ではステムから噴射ボタンをいったん取り外してその両者間に取り付けられるロック用治具を用い、かつ、このロック用治具のステム取付け側にステム周方向の略全体にわたる残留ガス・内容物の流出部を形成している。
【００２６】
すなわち、もともと相手側と結合しているステムおよび噴射ボタンそれぞれのいわば結合部分自体にロック用治具を取り付けることにより、これらステム，ロック用治具および噴射ボタンの三者を効率的に一体化している。
【００２７】
また、ロック用治具をキャップと一体成形した上で、利用者がガス抜きなどのために当該ロック用治具を当該キャップから取り外した後に生じる開口域を、残留ガスなどの外部空間域への放出用開口部として作動させる。
【００２８】
本発明は、これらの構成により、
(11)キャップ天井面からの押圧作用で連続作動モード位置へと下動するステムのシフト動作の安定化を図り、
(12)連続噴射対象の残留ガス・内容物の、ステム出力部からキャップ内部空間域への放出処理、さらにはキャップ外部空間域への放出処理の効率化を図り、
(13)キャップ外観のデザイン性確保化を図り、
(14)ガス抜きなどの連続作動モードの処理が実行済みかどうかについての、外部空間域からの視認化を図る、
ことなどを目的とする。
【課題を解決するための手段】
【００２９】
本発明は、以上の課題を次のようにして解決する。
（１）下動タイプで押下げ操作用の上面（例えば後述の上面１ａ）を持つ噴射ボタン（例えば後述の噴射ボタン１）がステム（例えば後述のステム２）から取り外されてこれら双方を連続噴射対応のロック用治具（例えば後述のロック用治具４ｅ）で結合させた後、当該ロック用治具を当該ステムに取り付け、かつ、噴射ボタン保護用で天井面（例えば後述のキャップ天井面４ｄ）を持つキャップ（例えば後述のキャップ４）を容器本体側に取り付けることにより、当該噴射ボタン，当該ロック用治具および当該ステムの一体物が当該上面に対する当該天井面の押圧作用で作動モード位置へと下動して保持される形のエアゾール連続噴射機構において、
前記ロック用治具は、
前記ステムの上端側部分に係合保持される凹状部（例えば後述の下凹状部４ｈ）と、
当該凹状部とは上下方向反対の部分に形成されて、前記噴射ボタンの本来のステム結合凹状部（例えば後述のステム結合凹状部１ｅ）を係合保持する凸状部（例えば後述の上円柱状部４ｇ）と、
を備えたプラスチック製のものであり、
前記ステムおよび前記噴射ボタンは、
前記ロック用治具によって上下方向に離間結合し、
前記凹状部は、
その内面部分に、それぞれ前記ステムの出力側からステム周りのキャップ内部空間域へと連通する連続噴射用の複数の通路部（例えば後述の天井面横溝状部４ｊおよび内周面縦溝状部４ｋを単位とする複数の通路部）を持つ、
構成態様のものを用いる。
（２）上記（１）において、
前記ロック用治具は、
前記キャップと一体化され、
連続作動モードの設定に際しては当該キャップから取り外され、その後の開口域（例えば後述の開口域４ｍ）が前記キャップ内部空間域からそのキャップ外部空間域への連通部として作用する、
構成態様のものを用いる。
（３）上記（２）において、
前記ロック用治具は、
前記キャップと一体成形されたものである、
構成態様のものを用いる。
（４）上記（１），（２），（３）において、
前記ロック用治具は、
前記キャップの天井部（例えば後述の天井部４ｃ）に設けられている、
構成態様のものを用いる。
【００３０】
このような構成からなるエアゾール連続噴射機構、および当該エアゾール連続噴射機構からなるエアゾール式製品を本発明の対象としている。
【発明の効果】
【００３１】
本発明は、以上の構成をとることにより、
(21)キャップ天井面からの押圧作用で連続作動モード位置へと下動するステムのシフト動作の安定化を図り、
(22)連続噴射対象の残留ガス・内容物の、ステム出力部からキャップ内部空間域およびキャップ外部空間域への放出処理の効率化を図り、
(23)キャップ外観のデザイン性確保化を図り、
(24)連続作動モードの処理が実行済みかどうかについての、外部空間域からの視認化を図る、
ことなどができる。
【図面の簡単な説明】
【００３２】
【図１】エアゾール噴射機構のキャップ取付け状態の静止モードを示す説明図である。
【図２】図１のキャップ４を外してから噴射ボタン１をステム２から取り外し、かつ、ロック用治具４ｅを一体成形相手の当該キャップから取り外したガス抜き準備初期段階を示す説明図である。
【図３】図２の分離後の噴射ボタン１とステム２との間にロック用治具４ｅを係合保持したガス抜き準備終了段階を示す説明図である。
【図４】図３の噴射ボタン１およびステム２の分離結合状態で、キャップ４を、容器本体３のアンダーカット３ａに取り付けたガス抜きの連続作動モードを示す説明図である。
【図５】図３，図４の上下位置をとるロック用治具４ｅの斜視状態を示す説明図である。
【発明を実施するための最良の形態】
【００３３】
図１乃至図５を用いて本発明を実施するための最良の形態を説明する。
【００３４】
上述したように本発明のエアゾール式製品における連続作動モードは、ガス抜き状態または内容物連続噴射状態である。
【００３５】
以下の実施形態では上述したように、単なる説明の便宜上、必要に応じて連続作動モードとしてのガス抜き状態、すなわち噴射ボタンが通常の作動モード位置に保持された状態で容器本体の残留ガスが外部空間域に連続噴射される連続作動モードを前提にする。
【００３６】
また、ロック用治具４ｅの上下については図３〜図５のガス抜き関連状態の上下関係を前提にする。
【００３７】
なお、以下のアルファベット付き参照番号の構成要素（例えば上面１ａ）は原則として、当該参照番号の数字部分の構成要素（例えば噴射ボタン１）の一部であることを示している。
【００３８】
図１〜図５において、
１は押下げタイプの噴射ボタン，
１ａは当該噴射ボタンの略平坦形状の上面（操作面），
１ｂは当該噴射ボタンに形成された略Ｌ字状の内容物通路域，
１ｃは内容物通路域１ｂの前部分（下流部分）に係合状態で取り付けられた内容物噴射用のノズル，
１ｄはノズル１ｃの前端部分に形成された内容物噴射用の出力孔部，
１ｅは内容物通路域１ｂの下端部分（上流端部分）に形成されて、後述のステム２の上端側筒状部が嵌合状態で取り付けられる下開口かつ横断面円形のステム結合凹状部，
をそれぞれ示している。
【００３９】
また、
２は噴射ボタン１の内容物通路域１ｂの上流端部分が取外し可能な形で取り付けられて、かつ、コイルスプリング（図示省略）の弾性力により上方向に付勢され、周知のバルブ作用および噴射通路作用を呈する上開口鞘状のステム，
３は後述の内容物および噴射用ガスを収容したエアゾール式製品の周知の容器本体，
３ａはそれぞれ当該容器本体の構成要素である胴体上端部分とその上の肩カバー体下端部分との巻締め結合により設定されるアンダーカット，
をそれぞれ示している。
【００４０】
また、
４は容器本体３のアンダーカット３ａに着脱自在な形で嵌合し、この嵌合状態で押下げ操作タイプの噴射ボタン１を保護する鞘状のキャップ，
４ａは当該キャップの筒状起立部，
４ｂは筒状起立部４ａの下端側内周面に形成されてアンダーカット３ａと係合する計三個の周方向凸状部，
４ｃは筒状起立部４ａの上端部分から連続する天井部，
４ｄは天井部４ｃの下面からなるキャップ天井面，
４ｅは天井部４ｃの一部にキャップ構成要素として取り外し可能な態様で一体成形された連続噴射対応のロック用治具，
４ｆは天井部４ｃとロック用治具４ｅとの間に形成された計四個の連結片部，
４ｇはロック用治具４ｅの構成要素であって、ステム２から分離した噴射ボタン１のステム結合凹状部１ｅに係合状態で取り付けられる凸状部としての上円柱状部，
４ｈはロック用治具４ｅの構成要素であって、噴射ボタン１から分離したステム２の上端側部分に係合状態で取り付けられる下開口の下凹状部，
４ｊは下凹状部４ｈの天井面中央部（＝ステム２の出力部との対向部分）から径方向に形成されて残留ガスなどが通過する通路部としての計四個の周方向９０度おきの天井面横溝状部，
４ｋは下凹状部４ｈの内周面に、天井面横溝状部４ｊの外端部分からそれぞれ下方に連続形成されて残留ガスなどが通過する通路部としての計四個の内周面縦溝状部，
４ｍは当該キャップからロック用治具４ｅを取り外したときに生じ、キャップ内部空間域からその外部空間域へと流出する残留ガスなどの通路部として作用する開口域，
をそれぞれ示している。
【００４１】
また、
５は容器本体３の開口端部側に取り付けられた、すなわち肩カバー体上端部分に取り付けられた周知のマウンティングキャップ，
６はマウンティングキャップ５の中央部分に係合保持され、噴射対象内容物などの貯留域，通路域として作動する周知のハウジング，
をそれぞれ示している。
【００４２】
ここで、噴射ボタン１，キャップ４およびロック用治具４ｅは例えばポリプロピレン，ポリエチレン，ポリアセタール，ナイロン，ポリブチレンテレフタレートなどからなるプラスチック製のものである。なお、キャップ４およびロック用治具４ｅは一体成形品である。
【００４３】
また、ステム２やハウジング６は例えばプラスチック製または金属製のものである。容器本体３やマウンティングキャップ５は例えば金属性のものである。
【００４４】
図示のエアゾール連続噴射機構の基本的特徴は、
(31)ロック用治具４ｅは、キャップ４と一体成形されて当該キャップから取外し可能であり、
(32)噴射ボタン１を、それとステム２との間にロック用治具４ｅを挟んだかさ上げ状態にしてから、キャップ４をアンダーカット３ａに保持することにより、そのキャップ天井面４ｄで噴射ボタンを押下げた形のガス抜きなどの連続作動モードを強制的に設定し（図４参照）、
(33)ロック用治具４ｅのステム結合側部分に、容器本体３からステム２へ流入するガスなどの連続噴射対象物をステム周方向の略全体にわたるキャップ内部空間域に流出させるための天井面横溝状部４ｊおよび内周面縦溝状部４ｋを備え、
(34)ロック用治具４ｅの各溝状部からキャップ内部空間域にまんべんなく流出した残留ガスなどの連続噴射対象物は、もともと当該ロック用治具が形成されていた開口域４ｍを経て外部空間域に流出し、
(35)ロック用治具４ｅは、それがキャップ４に残っているかどうかの確認によりガス抜きなどの作業済み・未作業のバージンシール作用を呈しえる、
ことなどである。
【００４５】
図１のキャップ取付け状態の静止モードでは、
(41)容器本体３のアンダーカット３ａにキャップ４の周方向凸状部４ｂが係合し、
(42)噴射ボタン１およびこれと一体のステム２が周知のコイルスプリングの弾性作用により上方向に付勢されて、周知の弁作用部（ステム孔部およびこれとの間で開閉作用を呈するステムガスケット）が閉じた、
状態に設定されている。
【００４６】
この弁作用部が閉じた状態の静止モードでは、勿論、容器本体３の収容内容物が噴射ボタン１の出力孔部１ｄから外部空間域に放出されることはない。
【００４７】
また、ロック用治具４ｅは、キャップ４の天井部４ｃから飛び出ることなくキャップ内部空間域に収まっている。
【００４８】
作動モードに設定するには、周知のように、図１の静止モードのキャップ４を容器本体３から外してから噴射ボタン１の上面１ａを押下げ操作すればよい。
【００４９】
この噴射ボタン１の押下げ操作により、噴射ボタン１と一体のステム２が上記コイルスプリングの上方向への弾性力に抗しながら下動して、上記弁作用部のステム孔部とステムガスケットとの間が開状態にシフトする。
【００５０】
この弁作用部の開状態シフトにより、容器本体３に収容された内容物が、噴射用ガスの作用で「ハウジング６−ステム２の孔部−ステム２の内部通路域−噴射ボタン１の内容物通路域１ｂ−ノズル１ｃ−出力孔部１ｄ」を経て外部空間域に放出される。
【００５１】
図１の静止モードのキャップ４を容器本体３から外した後、噴射ボタン１をステム２から取り外すことにより図２のガス抜き準備初期段階に移行する。
【００５２】
このとき、キャップ４の天井部４ｃに一体成形済みのロック用治具４ｅを当該天井部から取り外して単独部材の形に設定する。ロック用治具４ｅを取り外した後の天井部４ｃには開口域４ｍが生じる。
【００５３】
図２の初期段階で露出状態となったステム２の上端側にロック用治具４ｅの下凹状部４ｈを係合させ、かつ当該ロック用治具の上円柱状部４ｇを分離状態の噴射ボタン１のステム結合凹状部１ｅに係合させることにより、図３のガス抜き準備最終段階に移行する。
【００５４】
図３のガス抜き準備最終段階のとき、噴射ボタン１とステム２とはロック用治具４ｅの介在により離間結合している。
【００５５】
図４は、図３のガス抜き準備最終段階のエアゾール噴射機構のアンダーカット３ａにキャップ４の周方向凸状部４ｂを係合固定させた状態、すなわちガス抜きの連続作動モードを示している。
【００５６】
このとき、噴射ボタン１，ロック用治具４ｅおよびステム２のいわば一体物は、その噴射操作用の上面１ａがキャップ天井面４ｄで下方に継続して押下げられる。
【００５７】
この上面１ａの下方への継続した押下げにともない、ロック用治具４ｅを介して噴射ボタン１と係合状態のステム２は下動し、内容物噴射の作動モードのときと同じ上下方向位置状態に連続設定される。
【００５８】
ステム２が作動モード位置に連続設定されることにより、当該ステムの上記弁作用部が継続的開状態に移行する。
【００５９】
その結果、容器本体３の残留ガスが「ハウジング６−ステム２の孔部−ステム２の内部通路域−ロック用治具４ｅの天井面横溝状部４ｊ−ロック用治具４ｅの内周面縦溝状部４ｋ」を経て、キャップ４の内部空間域に放出される。このときの放出エリアは下凹状部４ｈの周方向広範囲にわたる。
【００６０】
キャップ４の内部空間域に放出された残留ガスは、ロック用治具４ｅの取外し後の開口空間である開口域４ｍからキャップ外部空間域へと流出する。
【００６１】
開口域４ｍは、キャップ４の内部空間域上端の天井部４ｃに設定されるので、キャップ内部空間域へ流出した比較的比重の小さい残留ガスは効率的に外部空間域へと排出される。
【００６２】
本発明のエアゾール連続噴射機構が図示の実施形態に限定されるものでないことは勿論であり、例えば、
(51)図示の押下げタイプの噴射ボタンに代えて、回動タイプの噴射ボタンを用いる、
(52)ロック用治具４ｅをキャップ４の筒状起立部４ａに形成する、
(53)ロック用治具４ｅの上円柱状部４ｇに代えて鞘状の上凹状部を形成する、
ようにしてもよい。
【００６３】
本発明が適用されるエアゾール式製品としては、洗浄剤，清掃剤，冷却剤，筋肉消炎剤，育毛剤，染毛剤，ヘアスタイリング剤，ヘアトリートメント剤，日焼け止め，化粧水，クレンジング剤，制汗剤，化粧品，シェービングフォーム，食品，液滴状のもの（ビタミンなど），医薬品，医薬部外品，園芸用剤，殺虫剤，害虫忌避剤，動物忌避剤，消臭剤，洗濯のり，消火器，塗料，接着剤，潤滑剤，ウレタンフォームなどの各種用途のものがある。
【００６４】
容器本体に収容される内容物としては、液状，クリーム状，ゲル状など種々の形態のものを用いる。内容物に配合される成分は例えば、粉状物，油成分，アルコール類，界面活性剤，高分子化合物，各用途に応じた有効成分，水などである。
【００６５】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，塩化マグネシウム，シリカ，酸化亜鉛，酸化チタン，ゼオライト，ナイロンパウダー，硫酸バリウム，セルロース，これらの混合物などを用いる。
【００６６】
油成分としては、ジメチルポリシロキサンなどのシリコーン油，ミリスチン酸イソプロピルなどのエステル油，パーム油，ユーカリ油，ツバキ油，オリーブ油，ホホバ油などの油脂，流動パラフィンなどの炭化水素油，ミリスチン酸，パルミチン酸，ステアリン酸，リノール酸，リノレン酸などの脂肪酸などを用いる。
【００６７】
アルコール類としては、エタノールなどの１価の低級アルコール，ラウリルアルコールやセタノールなどの１価の高級アルコール，エチレングリコール，１，３−ブチレングリコールやグリセリンなどの多価アルコールなどを用いる。
【００６８】
界面活性剤としては、ラウリル硫酸ナトリウムなどのアニオン性界面活性剤，ポリオキシエチレンアルキルエーテルやポリグリセリン脂肪酸エステルなどの非イオン性界面活性剤，ラウリルジメチルアミノ酢酸ベタインなどの両性界面活性剤，塩化アルキルトリメチルアンモニウムなどのカチオン性界面活性剤などを用いる。
【００６９】
高分子化合物としては、ヒドロキシエチルセルロース，メチルセルロース，ゼラチン，デンプン，カゼイン，キサンタンガム，カルボキシビニルポリマーなどを用いる。
【００７０】
各用途に応じた有効成分としては、パラフェニレンジアミン，アミノフェノールなどの染料，過酸化水素水などの酸化剤，アクリル系樹脂やワックスなどのセット剤，パラメトキシケイ皮酸２−エチルヘキシルなどの紫外線吸収剤，レチノールやｄｌ−α−トコフェロールなどのビタミン，ヒアルロン酸などの保湿剤，サリチル酸メチル，インドメタシンなどの消炎鎮痛剤，安息香酸ナトリウム，クレゾールなどの除菌剤，ピレスロイド，ジエチルトルアミドなどの害虫忌避剤，パラフェノールスルホン酸亜鉛などの制汗剤，カンフル，メントールなどの清涼剤，エフェドリン，アドレナリンなどの抗喘息薬，スクラロース，アスパルテームなどの甘味料，エポキシ樹脂，ウレタンなどの接着剤や塗料，パラフェニレンジアミン，アミノフェノールなどの染料，過酸化水素水などの酸化剤，リン酸二水素アンモニウム，炭酸水素ナトリウム・カリウムなどの消火剤などを用いる。
【００７１】
さらに、上記内容物以外の、懸濁剤，乳化剤，酸化防止剤，金属イオン封鎖剤なども用いることができる。
【００７２】
内容物噴射用ガスとしては、炭酸ガス，窒素ガス，圧縮空気，亜酸化窒素，酸素ガス，希ガス，これらの混合ガスなどの圧縮ガスや、液化石油ガス，ジメチルエーテル，ハイドロフルオロオレフィンなどの液化ガスを用いる。
【符号の説明】
【００７３】
１：噴射ボタン
１ａ：上面（操作面）
１ｂ：内容物通路域
１ｃ：ノズル
１ｄ：出力孔部
１ｅ：ステム結合凹状部
【００７４】
２：ステム
３：容器本体
３ａ：アンダーカット
【００７５】
４：キャップ
４ａ：筒状起立部
４ｂ：周方向凸状部
４ｃ：天井部
４ｄ：キャップ天井面
４ｅ：ロック用治具
４ｆ：連結片部
４ｇ：上円柱状部
４ｈ：下凹状部
４ｊ：天井面横溝状部
４ｋ：内周面縦溝状部
４ｍ：開口域
【００７６】
５：マウンティングキャップ
６：ハウジング
【図１】
0006415143.tif 000002
【図２】
0006415143.tif 000003
【図３】
0006415143.tif 000004
【図４】
0006415143.tif 000005
【図５】
0006415143.tif 000006